(57)【要約】【課題】組み付け作業性を向上することができる電気接続箱、及び、ワイヤハーネスを提供することを目的とする。【解決手段】ワイヤハーネスＷＨの電気接続箱１は、内部に収容空間部２４が設けられた筐体２と、収容空間部２４に収容され、電源Ｐから電力が供給される電源供給回路体３１が設けられた電源ブロック３と、それぞれに複数の電子部品５が組み付けられて収容空間部２４に収容され、電源供給回路体３１及び複数の電子部品５と接続されたサブ回路体４１が設けられ、収容空間部２４内においてそれぞれのサブ回路体４１が電源供給回路体３１との接続部分から電子部品５側で相互に独立した回路系統を形成する複数のサブブロック４とを備えることを特徴とする。【選択図】図１
2018093685.tif 000002
【特許請求の範囲】
【請求項１】
内部に収容空間部が設けられた筐体と、
前記収容空間部に収容され、電源から電力が供給される電源供給回路体が設けられた電源ブロックと、
それぞれに複数の電子部品が組み付けられて前記収容空間部に収容され、前記電源供給回路体及び前記複数の電子部品と接続されたサブ回路体が設けられ、前記収容空間部内においてそれぞれの前記サブ回路体が前記電源供給回路体との接続部分から前記電子部品側で相互に独立した回路系統を形成する複数のサブブロックとを備えることを特徴とする、
電気接続箱。
【請求項２】
前記複数のサブブロックの各前記サブ回路体は、それぞれ、機器と接続された複数の配索材を含んで構成される相互に異なるサブハーネスと前記複数の配索材を介して接続され、
前記サブハーネスは、前記複数の配索材の端末が前記複数のサブブロックのうちの１つの前記サブブロックに組み付けられ他の前記サブブロックには組み付けられていない、
請求項１に記載の電気接続箱。
【請求項３】
前記複数のサブブロックの各前記サブ回路体は、前記収容空間部内において前記電源供給回路体のみで相互に接続される、
請求項１又は請求項２に記載の電気接続箱。
【請求項４】
各前記サブブロックに組み付けられた前記複数の電子部品は、それぞれ、前記サブ回路体が構成する回路系統に過電流が流れたときに可溶体が溶断することで当該回路系統を保護する回路保護部品、及び、前記サブ回路体が構成する回路系統の通電状態と非通電状態とを切り替える回路切り替え部品を含む、
請求項１乃至請求項３のいずれか１項に記載の電気接続箱。
【請求項５】
内部に収容空間部が設けられた筐体、前記収容空間部に収容され、電源から電力が供給される電源供給回路体が設けられた電源ブロック、及び、それぞれに複数の電子部品が組み付けられて前記収容空間部に収容され、前記電源供給回路体及び前記複数の電子部品と接続されたサブ回路体が設けられ、前記収容空間部内においてそれぞれの前記サブ回路体が前記電源供給回路体との接続部分から前記電子部品側で相互に独立した回路系統を形成する複数のサブブロックを含んで構成される電気接続箱と、
それぞれ、前記複数のサブブロックのうちの相互に異なる１つの前記サブ回路体と機器とに接続された配索材を含んで構成される複数のサブハーネスとを備え、
前記サブハーネスは、複数の前記配索材の端末が前記複数のサブブロックのうちの１つの前記サブブロックに組み付けられ他の前記サブブロックには組み付けられていないことを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、電気配線ブロックが開示されている。この電気配線ブロックは、カセット収容室を備えるブロック本体と、ヒューズやリレー等の複数の電気部品を各々種別に同一形状にカセット化し、該ブロック本体内の所定位置に装着されるカセットブロックとを備える。電気配線ブロックは、ブロック本体内にばね性を有する嵌合部を備えた電源分配用バスバが装着されると共に、カセットブロック内に電源分配用バスバに対応したカセット用バスバが装着される。また、電気配線ブロックは、嵌合部に嵌合するカセット用バスバ側の雄タブがカセットブロックの所定位置に設けられた突出用開口部から突出している。カセットブロックは、突出用開口部に対向した所定位置に隣接する別のカセットブロックから突出したカセット用バスバの雄タブを挿通する挿通用開口部を備える。そして、カセット用バスバは、相手のカセット用バスバの雄タブを接続する嵌合部を備える。
【先行技術文献】
【特許文献】
【０００３】
【特許文献１】特許第３４８９７１８号公報
【発明の概要】
【発明が解決しようとする課題】
【０００４】
ところで、上述の特許文献１に記載の電気配線ブロックは、例えば、各部の組み付け作業性の向上の点で更なる改善の余地がある。
【０００５】
本発明は、上記の事情に鑑みてなされたものであって、組み付け作業性を向上することができる電気接続箱、及び、ワイヤハーネスを提供することを目的とする。
【課題を解決するための手段】
【０００６】
上記目的を達成するために、本発明に係る電気接続箱は、内部に収容空間部が設けられた筐体と、前記収容空間部に収容され、電源から電力が供給される電源供給回路体が設けられた電源ブロックと、それぞれに複数の電子部品が組み付けられて前記収容空間部に収容され、前記電源供給回路体及び前記複数の電子部品と接続されたサブ回路体が設けられ、前記収容空間部内においてそれぞれの前記サブ回路体が前記電源供給回路体との接続部分から前記電子部品側で相互に独立した回路系統を形成する複数のサブブロックとを備えることを特徴とする。
【０００７】
また、上記電気接続箱では、前記複数のサブブロックの各前記サブ回路体は、それぞれ、機器と接続された複数の配索材を含んで構成される相互に異なるサブハーネスと前記複数の配索材を介して接続され、前記サブハーネスは、前記複数の配索材の端末が前記複数のサブブロックのうちの１つの前記サブブロックに組み付けられ他の前記サブブロックには組み付けられていないものとすることができる。
【０００８】
また、上記電気接続箱では、前記複数のサブブロックの各前記サブ回路体は、前記収容空間部内において前記電源供給回路体のみで相互に接続されるものとすることができる。
【０００９】
また、上記電気接続箱では、各前記サブブロックに組み付けられた前記複数の電子部品は、それぞれ、前記サブ回路体が構成する回路系統に過電流が流れたときに可溶体が溶断することで当該回路系統を保護する回路保護部品、及び、前記サブ回路体が構成する回路系統の通電状態と非通電状態とを切り替える回路切り替え部品を含むものとすることができる。
【００１０】
上記目的を達成するために、本発明に係るワイヤハーネスは、内部に収容空間部が設けられた筐体、前記収容空間部に収容され、電源から電力が供給される電源供給回路体が設けられた電源ブロック、及び、それぞれに複数の電子部品が組み付けられて前記収容空間部に収容され、前記電源供給回路体及び前記複数の電子部品と接続されたサブ回路体が設けられ、前記収容空間部内においてそれぞれの前記サブ回路体が前記電源供給回路体との接続部分から前記電子部品側で相互に独立した回路系統を形成する複数のサブブロックを含んで構成される電気接続箱と、それぞれ、前記複数のサブブロックのうちの相互に異なる１つの前記サブ回路体と機器とに接続された配索材を含んで構成される複数のサブハーネスとを備え、前記サブハーネスは、複数の前記配索材の端末が前記複数のサブブロックのうちの１つの前記サブブロックに組み付けられ他の前記サブブロックには組み付けられていないことを特徴とする。
【発明の効果】
【００１１】
本発明に係る電気接続箱、及び、ワイヤハーネスは、複数のサブブロックにそれぞれ設けられたサブ回路体が収容空間部内において電源供給回路体との接続部分から電子部品側で相互に独立した回路系統を形成する。この構成により、電気接続箱、及び、ワイヤハーネスは、例えば、収容空間部内において、複数のサブブロックの各サブ回路体を電源供給回路体以外で相互に接続する必要がないので、組み付け作業性を向上することができる、という効果を奏する。
【図面の簡単な説明】
【００１２】
【図１】図１は、実施形態に係る電気接続箱、及び、ワイヤハーネスの概略構成を表す模式的なブロック図である。
【図２】図２は、実施形態に係る電気接続箱の概略構成を表す斜視図である。
【図３】図３は、実施形態に係る電気接続箱の概略構成を表す分解斜視図である。
【図４】図４は、実施形態に係る電気接続箱の電源供給回路体の一例を表す斜視図である。
【図５】図５は、実施形態に係る電気接続箱のサブ回路体の一例を表す斜視図である。
【図６】図６は、実施形態に係る電気接続箱の電源ブロックとサブブロックとの組み付け部位を表す部分斜視図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
なお、以下の説明では、互いに交差する第１方向、第２方向、及び、第３方向のうち、第１方向を「積層方向Ｘ」といい、第２方向を「第１幅方向Ｙ」といい、第３方向を「第２幅方向Ｚ」という。ここでは、積層方向Ｘと第１幅方向Ｙと第２幅方向Ｚとは、相互に直交する。以下の説明では、積層方向Ｘにおいて後述のアッパカバー２３が設けられる側を上側、後述のロアカバー２２が設けられる側を下側という場合がある。また、典型的には、第１幅方向Ｙは、後述する筐体２の長辺方向に相当し、第２幅方向Ｚは、筐体２の短辺方向に相当する。以下の説明で用いる各方向は、特に断りのない限り、電気接続箱１の各部が相互に組み付けられ、当該電気接続箱１が車両に搭載された状態での方向として説明する。
【００１５】
［実施形態］
図１、図２、図３に示す本実施形態に係る電気接続箱１は、自動車等の車両に搭載され、ワイヤハーネスＷＨに組み込まれる。ワイヤハーネスＷＨは、例えば、車両に搭載される各機器Ｄ間の接続のために、電源供給や信号通信に用いられる複数の配索材Ｗを束にして集合部品とし、コネクタＣＯ等で複数の配索材Ｗを各機器Ｄに接続するようにしたものである。本実施形態のワイヤハーネスＷＨは、電気接続箱１と、複数のサブハーネスＳＨとを備え、電気接続箱１を構成するサブブロック４とサブハーネスＳＨとが１対１の関係となるようにサブブロック４とサブハーネスＳＨとが相互に組み付けられることで、各部の組み付け作業性の向上を図ったものである。なお、ワイヤハーネスＷＨは、この他、さらに、グロメット、プロテクタ、固定具等を含んで構成されてもよい。以下、各図を参照して、電気接続箱１、ワイヤハーネスＷＨの各構成について具体的に説明する。
【００１６】
電気接続箱１は、コネクタ、ヒューズ、リレー、コンデンサ、分岐部、電子制御ユニット等の電子部品５を集約して内部に収容するものである。電気接続箱１は、例えば、車両のエンジンルームや車両室内に設置され、バッテリや発電機等の電源Ｐと、車両内に搭載される各種機器Ｄとの間に接続されている。電気接続箱１は、電源Ｐから供給された電力を車両内の各種機器Ｄに分配する。電気接続箱１は、ジャンクションボックス、ヒューズボックス、リレーボックスなどとも呼ばれる場合があるが、本実施形態ではこれらを総称して電気接続箱と呼ぶ。
【００１７】
具体的には、電気接続箱１は、筐体２と、電源ブロック３と、複数のサブブロック４と、電子部品５（図２、図３には図示省略）とを備える。電気接続箱１は、筐体２の内部に設けられる収容空間部２４に、電源ブロック３や電子部品５が組み付けられたサブブロック４が収容される。
【００１８】
筐体２は、内部に設けられた収容空間部２４に電源ブロック３や電子部品５が組み付けられたサブブロック４を収容するものである。筐体２は、筐体本体としてのフレーム２１、底部材としてのロアカバー２２、及び、蓋部材としてのアッパカバー２３（図２に二点鎖線で省略して図示）を含んで構成される。筐体２は、フレーム２１、ロアカバー２２、及び、アッパカバー２３が分割された３層分割構造となっている。フレーム２１、ロアカバー２２、及び、アッパカバー２３は、絶縁性の合成樹脂によって形成される。フレーム２１は、収容空間部２４を形成する主たる部材である。フレーム２１は、積層方向Ｘの両側に開口を有する筒枠状に形成される。ロアカバー２２は、フレーム２１の積層方向Ｘの下側の開口を塞ぐ皿状（トレイ状）の部材である。アッパカバー２３は、フレーム２１の積層方向Ｚの上側の開口を塞ぐ蓋状の部材である。筐体２は、フレーム２１の積層方向Ｘの下側の開口とロアカバー２２とが対向し、フレーム２１の積層方向Ｘの上側の開口とアッパカバー２３とが対向するようにして、ロアカバー２２がフレーム２１の積層方向Ｘの下側に組み付けられアッパカバー２３がフレーム２１の積層方向Ｘの上側に組み付けられる。筐体２は、フレーム２１に対して、種々の形式の係止機構を介して、アッパカバー２３、ロアカバー２２が係止され、フレーム２１、ロアカバー２２、及び、アッパカバー２３が組み合わさって全体として中空箱状に形成される。筐体２は、中空箱状の内部空間部が収容空間部２４を構成する。収容空間部２４は、フレーム２１、ロアカバー２２、及び、アッパカバー２３によって区画され、当該フレーム２１、ロアカバー２２、及び、アッパカバー２３によって囲われた空間である。筐体２は、この収容空間部２４内に電源ブロック３やサブブロック４が設けられる。電源ブロック３、サブブロック４は、収容空間部２４内にフレーム２１と一体的に形成される種々の形状の区画壁２５やフレーム２１の内壁面に対して種々の形式の係止機構等を介して着脱可能に組み付けられる。また、筐体２は、当該筐体２の内外、言い換えれば、収容空間部２４の内外を連通する挿通口２６を有する。挿通口２６は、配索材Ｗを筐体２の内外、言い換えれば、収容空間部２４の内外に渡って挿通させるための開口である。筐体２は、配索材Ｗが当該挿通口２６を介して収容空間部２４の内外に渡って挿通され、各部に電気的に接続される。
【００１９】
電源ブロック３は、収容空間部２４に収容され、電源供給回路体３１が設けられるものである。電源ブロック３は、絶縁性の合成樹脂によって形成され、電源供給回路体３１を保持する。ここでは、電源ブロック３は、全体として、第１幅方向Ｙに沿った方向が長辺、第２幅方向Ｚに沿った方向が短辺となる略Ｌ字型形状に形成される。電源ブロック３は、接続突状部３ａが複数形成されている。各接続突状部３ａは、サブブロック４が組み付けられる部分である。各接続突状部３ａは、積層方向Ｘに沿って略矩形柱状に形成され、積層方向Ｘの上側端部に後述するサブ回路体４１の電源ブロック接続タブ４１ａが挿入される挿入孔が形成される。
【００２０】
電源供給回路体３１は、電源Ｐが電気的に接続され当該電源Ｐから電力が供給されるものである。電源供給回路体３１は、要求される電力供給回路を構成する種々の導電体を含んで構成される。ここでは、電源供給回路体３１は、図４に例示するいわゆるバスバ３１Ａ、３１Ｂ等を含んで構成される。バスバ３１Ａ、３１Ｂは、例えば、導電性の金属材料によって形成され、例えば、相互に異なる別系統の電力供給回路の一部を構成する。バスバ３１Ａ、３１Ｂは、例えば、板状に形成された導電性の金属材料がプレス加工されることで要求される電力供給回路に対応した形状に形成される。バスバ３１Ａは、例えば、電源Ｐとして、オルタネータ等の発電機が電気的に接続され、当該発電機からの電力が供給される。一方、バスバ３１Ｂは、例えば、電源Ｐとして、バッテリが電気的に接続され、当該バッテリからの電力が供給される。バスバ３１Ａ、３１Ｂは、電源用接続タブ３１ａ、及び、複数のサブブロック接続タブ３１ｂを含んで構成される。電源用接続タブ３１ａは、電源Ｐから配索される配索材Ｗが電気的に接続される部分である。サブブロック接続タブ３１ｂは、後述するサブ回路体４１が電気的に接続される部分である。
【００２１】
電源ブロック３は、内部に電源供給回路体３１を構成するバスバ３１Ａ、３１Ｂがインサート成形されてもよいし後付けで組み付けられてもよい。バスバ３１Ａ、３１Ｂは、電源ブロック３に設けられた状態で各サブブロック接続タブ３１ｂがそれぞれ接続突状部３ａ内に位置するように当該電源ブロック３に組み付けられる。また、電源ブロック３は、当該各接続突状部３ａ内にそれぞれ中継端子６も内蔵される。中継端子６は、サブブロック接続タブ３１ｂと後述するサブ回路体４１の電源ブロック接続タブ４１ａとを電気的に接続するものであり、例えば、いわゆるメスメス中継端子が用いられる。中継端子６は、例えば、各サブブロック接続タブ３１ｂに装着された状態でバスバ３１Ａ、３１Ｂと共に電源ブロック３にインサート成形されてもよいし後付けで組み付けられてもよい。なお、電源供給回路体３１は、バスバ３１Ａ、３１Ｂ以外にも、例えば、電源ブロック３内で完結する電線等の回路体を含んで構成されてもよい。
【００２２】
サブブロック４は、それぞれに複数の電子部品５が組み付けられて収容空間部２４に収容され、サブ回路体４１が設けられるものである。サブブロック４は、絶縁性の合成樹脂によって形成され、サブ回路体４１を保持するものである。サブブロック４は、収容空間部２４に複数設けられ、それぞれ複数の電子部品５が組み付けられると共にサブ回路体４１が設けられる。図１、図２、図３では、サブブロック４は、一例として、サブブロック４Ａ、４Ｂ、４Ｃ、４Ｄ、４Ｅ、４Ｆの合計６つが図示されている。サブブロック４Ａ、４Ｂ、４Ｃ、４Ｄ、４Ｅ、４Ｆは、形状、大きさ等が相互に異なるものの、複数の電子部品５、サブ回路体４１が設けられると共にキャビティ４ａ、及び、接続嵌合部４ｂ（図６参照）が設けられる点では共通の構成である。以下の説明では、サブブロック４Ａ、４Ｂ、４Ｃ、４Ｄ、４Ｅ、４Ｆを特に区別して説明する必要がない場合には、単にサブブロック４という場合がある。キャビティ４ａは、各サブブロック４において電子部品５が設けられる嵌合孔であり、複数形成される。電子部品５は、キャビティ４ａ内に組み付けられる。電子部品５は、例えば、配索材Ｗ等が電気的に接続され筐体２の内部の収容空間部２４に収容されたサブブロック４に対して組み付けられるものである。電子部品５は、例えば、コネクタ、ヒューズ、リレー、コンデンサ、分岐部、電子制御ユニット、これらをユニット化した電子部品ユニット等である。接続嵌合部４ｂ（図６参照）は、各サブブロック４において、電源ブロック３の接続突状部３ａが組み付けられる部分である。接続嵌合部４ｂは、各サブブロック４の積層方向Ｘの下側の面に、それぞれ対応する接続突状部３ａが嵌合可能な形状の凹部として形成される。
【００２３】
サブ回路体４１は、電源供給回路体３１と電気的に接続され、当該電源供給回路体３１を介して電源Ｐから供給された電力をサブブロック４に組み付けられた複数の電子部品５に分配し、ひいては後述の各機器Ｄに分配するものである。サブ回路体４１は、電源供給回路体３１と複数の電子部品５とを電気的に接続し、要求される電力分配回路を構成する種々の導電体を含んで構成される。ここでは、サブ回路体４１は、図５に例示するいわゆるバスバ４１Ａ等を含んで構成される。図５は、複数のサブブロック４にそれぞれ設けられるサブ回路体４１のうちの１つを例示している。バスバ４１Ａは、例えば、導電性の金属材料によって形成され、電力分配回路の一部を構成する。バスバ４１Ａは、例えば、板状に形成された導電性の金属材料がプレス加工されることで要求される電力分配回路に対応した形状に形成される。バスバ４１Ａは、電源ブロック接続タブ４１ａ、及び、複数の部品接続タブ４１ｂを含んで構成される。各サブブロック４にそれぞれ設けられる各バスバ４１Ａは、形状、大きさ等が相互に異なるものの、電源ブロック接続タブ４１ａ、及び、複数の部品接続タブ４１ｂが設けられる点では共通の構成である。電源ブロック接続タブ４１ａは、電源供給回路体３１を構成するバスバ３１Ａ、３１Ｂのサブブロック接続タブ３１ｂが電気的に接続される部分である。ここでは、電源ブロック接続タブ４１ａは、中継端子６を介してサブブロック接続タブ３１ｂが電気的に接続される。部品接続タブ４１ｂは、電子部品５が電気的に接続される部分である。
【００２４】
各サブブロック４は、内部にそれぞれサブ回路体４１を構成するバスバ４１Ａ等がインサート成形されてもよいし後付けで組み付けられてもよい。各バスバ４１Ａは、各サブブロック４に設けられた状態で電源ブロック接続タブ４１ａが接続嵌合部４ｂ内に露出し、各部品接続タブ４１ｂが各キャビティ４ａ内に露出する位置関係となるように各サブブロック４に組み付けられる。
【００２５】
各サブブロック４は、図６に示すように、接続嵌合部４ｂ内に電源ブロック３の接続突状部３ａが嵌合されるような位置関係で電源ブロック３に組み付けられることで、バスバ４１Ａの電源ブロック接続タブ４１ａが各接続突状部３ａに形成された挿入孔を介して中継端子６に挿入され電気的に接続される。この構成により、各サブブロック４は、各中継端子６を介して各バスバ４１Ａの電源ブロック接続タブ４１ａとバスバ３１Ａ、３１Ｂのサブブロック接続タブ３１ｂとが電気的に接続される。また、各サブブロック４は、各キャビティ４ａに対して積層方向Ｘの上側から電子部品５が差し込まれ嵌合されることで、バスバ４１Ａの各部品接続タブ４１ｂと各電子部品５とが電気的に接続される。以上の構成により、各サブブロック４を構成するサブ回路体４１は、各サブブロック４において、電源供給回路体３１を構成するバスバ３１Ａ、３１Ｂ及び複数の電子部品５と電気的に接続される。
【００２６】
そして、本実施形態の複数のサブブロック４は、収容空間部２４内においてそれぞれのサブ回路体４１が電源供給回路体３１との接続部分、ここでは、電源ブロック接続タブ４１ａから電子部品５側で相互に独立した回路系統を形成している。言い換えれば、複数のサブブロック４の各サブ回路体４１は、収容空間部２４内において電源供給回路体３１のみで相互に接続され、当該電源供給回路体３１以外の部分では相互に接続されていない。さらに言えば、複数のサブブロック４は、収容空間部２４内で異なるサブブロック４を跨いで各サブ回路体４１を相互に電気的に接続する導電部材が電源供給回路体３１のみであり、収容空間部２４内において当該電源供給回路体３１以外に異なるサブブロック４を跨いで各サブ回路体４１を相互に電気的に接続する導電部材はない。なお、各サブ回路体４１は、収容空間部２４内においてそれぞれ電源供給回路体３１との接続部分から電子部品５側で相互に独立した回路系統を形成していればよく、例えば、複数のバスバ４１Ａを含んで構成されていてもよい。また、各サブ回路体４１は、例えば、同一のサブブロック４内で完結する電線（同一のサブブロック４に組み付けられた電子部品５に各端末が接続された電線）等の回路体を含んで構成されてもよい。
【００２７】
そしてここでは、本実施形態の各サブブロック４に組み付けられた複数の電子部品５は、それぞれ、回路保護部品５１、及び、回路切り替え部品５２を含む。回路保護部品５１は、各サブ回路体４１が構成する回路系統に過電流が流れたときに可溶体が溶断することで当該回路系統を保護するものであり、例えば、ヒューズやヒュージブルリンク等である。回路切り替え部品５２は、各サブ回路体４１が構成する回路系統の通電状態と非通電状態とを切り替えるものであり、例えば、リレー等である。つまり、各サブブロック４は、各サブ回路体４１によって、収容空間部２４内においてそれぞれ電源供給回路体３１との接続部分から電子部品５側で相互に独立した回路系統が形成され、当該回路系統に少なくとも回路保護部品５１、及び、回路切り替え部品５２が設けられている。
【００２８】
サブハーネスＳＨは、電気接続箱１と各機器Ｄとを電気的に接続するものであり、複数設けられる。本実施形態の複数のサブハーネスＳＨは、それぞれ複数のサブブロック４のうちの相互に異なる１つのサブ回路体４１と機器Ｄとに接続された導電性の複数の配索材Ｗを含んで構成される。言い換えれば、複数のサブブロック４の各サブ回路体４１は、それぞれ、相互に異なるサブハーネスＳＨと複数の配索材Ｗを介して接続される。
【００２９】
ここで、機器Ｄは、車両に搭載されるものであり、車両の製造時に当該車両に据え付けられるものであってもよいし、車両の製造後に後付けで車両に据え付けられるいわゆるアフター品等であってもよい。機器Ｄは、例えば、種々の検出機器、走行系／安全系アクチュエータ、マルチメディア／ＨＭＩ系機器、照明装置、空調機器等を含んでいてもよい。また、サブハーネスＳＨを構成する配索材Ｗは、例えば、導電性の棒状部材の外側を絶縁性の被覆部によって覆った金属棒、複数の導電性の金属素線からなる導体部（芯線）の外側を絶縁性の被覆部によって覆った電線、当該電線を束ねた電線束、平面回路体（例えば、ＦＰＣ（Ｆｌｅｘｉｂｌｅ  Ｐｒｉｎｔｅｄ  Ｃｉｒｃｕｉｔｓ）やＦＦＣ（Ｆｌｅｘｉｂｌｅ  Ｆｌａｔ  Ｃａｂｌｅ）等）等によって構成される。配索材Ｗは、端末に端子ＴＥ等が設けられる。端子ＴＥは、配索材Ｗの端末に設けられた金属金具であり、導電性の金属材料によって形成される。配索材Ｗは、端子ＴＥ等を介してサブブロック４や各機器Ｄに電気的に接続される。各機器Ｄは、電源Ｐから供給された電力が電源ブロック３の電源供給回路体３１、各サブブロック４のサブ回路体４１、サブハーネスＳＨの配索材Ｗ等を介して、各サブブロック４のサブ回路体４１ごとに独立した電力分配回路系統で分配される。なお、上述した電源ブロック３の電源供給回路体３１に接続される配索材Ｗも当該サブハーネスＳＨを構成する配索材Ｗとほぼ同様である。
【００３０】
より詳細には、サブハーネスＳＨは、典型的には、複数の配索材Ｗの端末に設けられた端子ＴＥが複数のサブブロック４のうちの１つのサブブロック４に組み付けられ他のサブブロック４には組み付けられていない。サブハーネスＳＨは、例えば、複数の配索材Ｗに接続される機器Ｄの機能、システム、通信方式、電源方式、駆動電圧、設置エリア等に応じて任意のまとまりとして設定されればよい。いずれの場合でも、サブハーネスＳＨは、１つのサブブロック４に対して端子ＴＥを介して組み付けられている複数の配索材Ｗが１つのサブハーネスＳＨのまとまりを構成することとなる。つまり、１つのサブブロック４と１つのサブハーネスＳＨとは、１対１の関係となる。さらに言えば、サブブロック４とサブハーネスＳＨとは、１つのサブブロック４に複数のサブハーネスＳＨが組み付けられることはなく、同様に、１つのサブハーネスＳＨが複数のサブブロック４に跨って組み付けられることもない。なお、複数のサブハーネスＳＨは、典型的には、機器Ｄに接続された配索材Ｗが電気接続箱１以外の機器（例えば、電気接続箱１の外部に設けられるＥＣＵや通信系の機器等）に共通で接続されることは許容される。
【００３１】
本実施形態のサブハーネスＳＨは、６つのサブブロック４Ａ、４Ｂ、４Ｃ、４Ｄ、４Ｅ、４Ｆに対応してサブハーネスＳＨＡ、ＳＨＢ、・・・、ＳＨＦの合計６つが設けられる（図１ではサブブロック４Ｃ、４Ｄ、４Ｅに対応するサブハーネスＳＨについては図示省略）。例えば、図１の例では、サブハーネスＳＨＡは、４本の配索材Ｗの一方の端末に設けられた端子ＴＥがそれぞれサブブロック４Ａに組み付けられ接続される。そして、サブハーネスＳＨＡは、４本の配索材Ｗのうちの２本の他方の端末に設けられた端子ＴＥがコネクタＣＯを介して機器ＤＡ１に接続され、他の２本の配索材Ｗの他方の端末に設けられた端子ＴＥがコネクタＣＯを介して機器ＤＡ１とは異なる機器ＤＡ２に接続されている。また、サブハーネスＳＨＢは、４本の配索材Ｗの一方の端末に設けられた端子ＴＥがそれぞれサブブロック４Ｂに組み付けられ、４本の配索材Ｗの他方の端末に設けられた端子ＴＥが全てコネクタＣＯを介して同一の機器ＤＢに接続されている。また、サブハーネスＳＨＦは、４本の配索材Ｗの一方の端末に設けられた端子ＴＥがそれぞれサブブロック４Ｆに組み付けられ接続される。そして、サブハーネスＳＨＦは、４本の配索材Ｗのうちの２本の他方の端末に設けられた端子ＴＥがコネクタＣＯを介して機器ＤＦ１に接続され、他の２本の配索材Ｗの他方の端末に設けられた端子ＴＥが分岐部ＪＵに接続されている。そして、サブハーネスＳＨＦは、さらに他の２本の配索材Ｗの一方の端末に設けられた端子ＴＥがそれぞれ分岐部ＪＵに接続され、他方の端末に設けられた端子ＴＥがコネクタＣＯを介して機器ＤＦ１とは異なる機器ＤＦ２に接続されている。さらには、サブハーネスＳＨＦは、さらに他の２本の配索材Ｗの一方の端末に設けられた端子ＴＥがそれぞれ分岐部ＪＵに接続され、他方の端末に設けられた端子ＴＥがコネクタＣＯを介して機器ＤＦ１、ＤＦ２とは異なる機器ＤＦ３に接続されている。これらのサブハーネスＳＨＡ、ＳＨＢ、ＳＨＦは、それぞれ複数のサブブロック４のうちの相互に異なる１つのサブ回路体４１と機器Ｄとに接続された複数の配索材Ｗを含んで構成されたものである。なお、以下の説明では、サブハーネスＳＨＡ、ＳＨＢ、・・・、ＳＨＦを特に区別して説明する必要がない場合には、単にサブハーネスＳＨという場合がある。
【００３２】
上記のように構成されるワイヤハーネスＷＨは、例えば、各サブブロック４を筐体２に組み付ける前に、各サブブロック４の各キャビティ４ａに対して、配索材Ｗの端末の端子ＴＥが先嵌めされる。すなわち、ワイヤハーネスＷＨは、各サブブロック４が筐体２に組み付けられる前に、各サブブロック４の各キャビティ４ａに対して、対応するサブハーネスＳＨの配索材Ｗの一方側の端子ＴＥ（機器Ｄが設けられる側とは反対側の端子ＴＥ）が一方側（筐体２に組み付けられた状態で積層方向Ｘの下側となる側）から差し込まれ嵌合される。この構成により、ワイヤハーネスＷＨは、各サブブロック４のサブ回路体４１と、これに対応するサブハーネスＳＨの配索材Ｗとが端子ＴＥを介して電気的に接続される。この状態で、各サブハーネスＳＨは、それぞれ配索材Ｗの一方の端末に、対応するサブブロック４が１つずつ組み付けられた状態となる。
【００３３】
そして、ワイヤハーネスＷＨは、対応するサブブロック４とサブハーネスＳＨとが相互に組み付けられた状態で、当該サブブロック４が筐体２のフレーム２１に対して積層方向Ｘの下側から嵌合され、収容空間部２４内に、区画壁２５やフレーム２１の内壁面に対して種々の形式の係止機構等を介して着脱可能に組み付けられる。各サブブロック４は、各接続嵌合部４ｂが積層方向Ｘの下側を向くような位置関係でフレーム２１に組み付けられる。このとき、ワイヤハーネスＷＨは、サブハーネスＳＨの各配索材Ｗを挿通口２６等から収容空間部２４外に導出しつつ、当該サブブロック４がフレーム２１に組み付けられる。そして、電気接続箱１は、筐体２のフレーム２１に対して積層方向Ｘの下側から電源ブロック３が嵌合され、収容空間部２４内に、区画壁２５やフレーム２１の内壁面に対して種々の形式の係止機構等を介して着脱可能に組み付けられる。電源ブロック３は、各接続突状部３ａが積層方向Ｘの上側を向くような位置関係でフレーム２１に組み付けられる。このとき、ワイヤハーネスＷＨは、サブハーネスＳＨの各配索材Ｗを電源ブロック３の脇を通すようにして当該電源ブロック３がフレーム２１に組み付けられる。またこのとき、電気接続箱１は、図６に示すように、各サブブロック４の接続嵌合部４ｂ内に電源ブロック３の接続突状部３ａが嵌合されるような位置関係で各サブブロック４と電源ブロック３とが相互に組み付けられる。この構成により、電気接続箱１は、各サブブロック４のサブ回路体４１を構成するバスバ４１Ａの各電源ブロック接続タブ４１ａと、電源ブロック３の電源供給回路体３１を構成するバスバ３１Ａ、３１Ｂのサブブロック接続タブ３１ｂとが各中継端子６を介して電気的に接続される。
【００３４】
そして、電気接続箱１は、各サブブロック４の各キャビティ４ａに対して他方側（筐体２に組み付けられた状態で積層方向Ｘの上側となる側）から電子部品５が差し込まれ嵌合される。この構成により、電気接続箱１は、各サブブロック４のサブ回路体４１を構成するバスバ４１Ａの各部品接続タブ４１ｂと各電子部品５とが電気的に接続される。
【００３５】
そして、ワイヤハーネスＷＨは、電源ブロック３の電源供給回路体３１を構成するバスバ３１Ａ、３１Ｂの電源用接続タブ３１ａに電源Ｐから配索される配索材Ｗが電気的に接続される。この結果、ワイヤハーネスＷＨは、電源Ｐから供給された電力が、電源ブロック３の電源供給回路体３１、各サブブロック４のサブ回路体４１、サブハーネスＳＨの配索材Ｗ等を介して、各サブブロック４、各サブハーネスＳＨで独立した電力分配回路系統で各機器Ｄに分配される。
【００３６】
以上で説明した電気接続箱１、ワイヤハーネスＷＨは、複数のサブブロック４にそれぞれ設けられたサブ回路体４１が収容空間部２４内において電源供給回路体３１との接続部分から電子部品５側で相互に独立した回路系統を形成する。ここでは、複数のサブブロック４の各サブ回路体４１は、収容空間部２４内において電源供給回路体３１のみで相互に接続される。この構成により、電気接続箱１、ワイヤハーネスＷＨは、例えば、収容空間部２４内において、複数のサブブロック４の各サブ回路体４１を電源供給回路体３１以外で相互に接続する必要がなく、例えば、収容空間部２４内で異なるサブブロック４同士を跨いで接続される電線等を組み付ける必要がない。この結果、電気接続箱１、ワイヤハーネスＷＨは、各部の組み付け作業性を向上することができる。またこの構成により、電気接続箱１、ワイヤハーネスＷＨは、例えば、筐体２の収容空間部２４内に配索する電線等の量を極力抑制することができるので、収容空間部２４における収納性能を向上することができ、言い換えれば、外形の大型化を抑制することができる。
【００３７】
さらに、以上で説明した電気接続箱１、ワイヤハーネスＷＨは、複数のサブブロック４の各サブ回路体４１がそれぞれ相互に異なるサブハーネスＳＨと複数の配索材Ｗを介して接続され、各サブハーネスＳＨにおいて複数の配索材Ｗの端末が複数のサブブロック４のうちの１つのサブブロック４に組み付けられ他のサブブロック４には組み付けられていない。この構成により、電気接続箱１、ワイヤハーネスＷＨは、対応するサブブロック４とサブハーネスＳＨとが配索材Ｗを介して相互に組み付けられた状態、すなわち、配索材Ｗの端末がサブブロック４に先嵌めされた状態で、各サブブロック４を筐体２の収容空間部２４に設けることができる。この結果、電気接続箱１、ワイヤハーネスＷＨは、各サブブロック４を筐体２の収容空間部２４に設けた後に配索材Ｗの端末を各サブブロック４に組み付ける作業、いわゆる後嵌めの作業を極力削減することができるので、この点でも組み付け作業性を向上することができる。
【００３８】
さらに、以上で説明した電気接続箱１、ワイヤハーネスＷＨは、各サブブロック４に組み付けられた複数の電子部品５として、それぞれ、回路保護部品５１、及び、回路切り替え部品５２を含む。この構成により、電気接続箱１、ワイヤハーネスＷＨは、各サブブロック４に対応するサブハーネスＳＨに接続された機器Ｄに対する回路保護部品５１、及び、回路切り替え部品５２を１つの共通のサブブロック４に組み付けることができる。言い換えれば、電気接続箱１、ワイヤハーネスＷＨは、１つのサブハーネスＳＨに接続された機器Ｄに対する回路保護部品５１、及び、回路切り替え部品５２を組み付けるためのブロックを１つのサブブロック４で兼用することができる。この結果、電気接続箱１、ワイヤハーネスＷＨは、例えば、１つのサブハーネスＳＨに対する電力分配回路系統を１つのサブブロック４で完結することができるので、この点でも組み付け作業性を向上することができる。
【００３９】
なお、上述した本発明の実施形態に係る電気接続箱、及び、ワイヤハーネスは、上述した実施形態に限定されず、特許請求の範囲に記載された範囲で種々の変更が可能である。
【００４０】
以上で説明した筐体２は、フレーム２１、ロアカバー２２、及び、アッパカバー２３が分割された３層分割構造となっているものとして説明したがこれに限らず、例えば、フレーム２１とロアカバー２２とが一体であってもよい。
【００４１】
以上の説明では、各サブブロック４に組み付けられた複数の電子部品５は、それぞれ、回路保護部品５１、及び、回路切り替え部品５２を含むものとして説明したがこれに限らない。
【符号の説明】
【００４２】
１    電気接続箱
２    筐体
３    電源ブロック
４、４Ａ、４Ｂ、４Ｃ、４Ｄ、４Ｅ、４Ｆ    サブブロック
５    電子部品
２４    収容空間部
３１    電源供給回路体
４１    サブ回路体
５１    回路保護部品
５２    回路切り替え部品
Ｄ、ＤＡ１、ＤＡ２、ＤＢ、ＤＦ１、ＤＦ２、ＤＦ３    機器
Ｐ    電源
ＳＨ、ＳＨＡ、ＳＨＢ、ＳＨＦ    サブハーネス
Ｗ    配索材
ＷＨ    ワイヤハーネス
【図１】
2018093685.tif 000003
【図２】
2018093685.tif 000004
【図３】
2018093685.tif 000005
【図４】
2018093685.tif 000006
【図５】
2018093685.tif 000007
【図６】
2018093685.tif 000008